(57)【特許請求の範囲】
【請求項１】
受動型運動機器を利用するユーザの消費カロリーを計算するカロリー計算装置であって、
ユーザの心拍数とユーザの運動強度との関係を前記受動型運動機器の負荷レベル毎に定義する複数の対応関係情報を記憶する記憶部と、
前記受動型運動機器の負荷レベルを取得する負荷レベル取得部と、
前記受動型運動機器を利用するユーザの心拍数を取得する心拍数取得部と、
前記複数の対応関係情報の中から、前記負荷レベル取得部によって取得された前記負荷レベルに対応する対応関係情報を特定する特定部と、
前記特定部によって特定された前記対応関係情報を参照して、前記心拍数取得部によって取得された前記心拍数に対応する運動強度を取得する運動強度取得部と、
前記運動強度取得部によって取得された前記運動強度に応じて、前記受動型運動機器を利用するユーザの消費カロリーを計算する計算部とを備えており、
前記複数の対応関係情報は、心拍数が１００以下である第１負荷レベルに対して定義された第１対応関係情報と、前記第１負荷レベルよりも大きい第２負荷レベルに対して定義された第２対応関係情報とを少なくとも含み、
前記第１対応関係情報において、ユーザの心拍数の上昇に伴うユーザの運動強度の増加量は、前記第２対応関係情報において、ユーザの心拍数の上昇に伴うユーザの運動強度の増加量よりも小さく、
前記計算部は、所定係数、ユーザの運動強度、運動時間及びユーザの体重の乗算結果を前記ユーザの消費カロリーとして計算することを特徴とするカロリー計算装置。
【請求項２】
前記受動型運動機器を利用するユーザの個人情報を取得する個人情報取得部をさらに備え、
前記記憶部は、前記複数の対応関係情報をユーザの個人情報毎に記憶しており、
前記特定部は、前記複数の対応関係情報の中から、前記負荷レベル取得部によって取得された前記負荷レベル及び前記個人情報取得部によって取得された前記個人情報に対応する対応関係情報を特定することを特徴とする請求項１に記載のカロリー計算装置。
【請求項３】
前記対応関係情報は、前記受動型運動機器の負荷レベル毎に定められた標準心拍数、標準運動強度及び補正係数であり、
前記補正係数は、前記心拍数取得部によって取得された前記心拍数と前記標準心拍数との差分に応じて、前記標準運動強度を補正する係数であることを特徴とする請求項１に記載のカロリー計算装置。
【請求項４】
ユーザが受動的に利用する受動型運動機器であって、
ユーザの心拍数とユーザの運動強度との関係を前記受動型運動機器の負荷レベル毎に定義する複数の対応関係情報を記憶する記憶部と、
前記受動型運動機器の負荷レベルを取得する負荷レベル取得部と、
前記受動型運動機器を利用するユーザの心拍数を取得する心拍数取得部と、
前記複数の対応関係情報の中から、前記負荷レベル取得部によって取得された前記負荷レベルに対応する対応関係情報を特定する特定部と、
前記特定部によって特定された前記対応関係情報を参照して、前記心拍数取得部によって取得された前記心拍数に対応する運動強度を取得する運動強度取得部と、
前記運動強度取得部によって取得された前記運動強度に応じて、前記受動型運動機器を利用するユーザの消費カロリーを計算する計算部とを備えており、
前記複数の対応関係情報は、心拍数が１００以下である第１負荷レベルに対して定義された第１対応関係情報と、前記第１負荷レベルよりも大きい第２負荷レベルに対して定義された第２対応関係情報とを少なくとも含み、
前記第１対応関係情報において、ユーザの心拍数の上昇に伴うユーザの運動強度の増加量は、前記第２対応関係情報において、ユーザの心拍数の上昇に伴うユーザの運動強度の増加量よりも小さく、
前記計算部は、所定係数、ユーザの運動強度、運動時間及びユーザの体重の乗算結果を前記ユーザの消費カロリーとして計算することを特徴とする受動型運動機器。
【発明の詳細な説明】
【技術分野】
【０００１】
本発明は、受動型運動機器を利用するユーザの消費カロリーを計算するカロリー計算装置及び受動型運動機器に関する。
【背景技術】
【０００２】
従来、能動型運動機器や受動型運動機器などの運動機器が知られている。能動型運動機器は、エルゴメータ（例えば、エアロバイク（登録商標））やトレッドミル（例えば、ルームランナー）などのように、ユーザが能動的に利用する運動機器である。受動型運動機器は、ＥＭＳ（Ｅｌｅｃｔｒｉｃａｌ  Ｍｕｓｃｌｅ  Ｓｔｉｍｕｌａｔｉｏｎ）機器や乗馬フィットネス機器などのように、ユーザが受動的に利用する運動機器である。
【０００３】
このような運動機器をユーザが利用する際に、ユーザの消費カロリーを計算する様々な手法が提案されている。
【０００４】
例えば、ユーザの心拍数とユーザの運動強度（例えば、酸素摂取量）との関係を定義する情報を予め保持するカロリー計算装置（以下、背景技術１）が提案されている（例えば、特許文献１）。
【０００５】
具体的には、カロリー計算装置は、ユーザの個人情報（身長や体重など）に応じて、心拍数と酸素摂取量との関係を定義する複数のテーブルを予め保持している。カロリー計算装置は、ユーザの個人情報に対応するテーブルを参照して、ユーザの心拍数に対応する酸素摂取量を取得する。続いて、カロリー計算装置は、酸素摂取量に応じて、ユーザの消費カロリーを計算する。
【０００６】
また、運動機器の負荷とユーザの運動強度との関係を定義する情報を予め保持するカロリー計算装置（以下、背景技術２）が提案されている（例えば、特許文献２）。
【０００７】
具体的には、カロリー計算装置は、運動機器（ここでは、自転車）の仕事率（すなわち、運動機器の負荷）を計算した上で、運動機器の仕事率に応じてユーザの消費エネルギー（すなわち、消費カロリー）を計算する。
【特許文献１】特許第３２５０６２２号公報
【特許文献２】特開平１０−３５５６７号公報
【発明の開示】
【発明が解決しようとする課題】
【０００８】
ここで、ユーザの心拍数が比較的低いケース（例えば、心拍数が１００以下であるケース）では、ユーザの精神的な要素が心拍数に与える影響が大きいことが知られている。従って、上述した背景技術１に係るカロリー計算装置は、ユーザの心拍数が比較的低いと、ユーザの運動強度（或いは、消費カロリー）を正確に推定（計算）することができなかった。
【０００９】
また、能動型運動機器では、運動機器の負荷がユーザの運動強度と連動するが、受動型運動機器では、運動機器の負荷がユーザの運動強度と連動しない可能性がある。具体的には、受動型運動機器では、ユーザの姿勢や運動機器の使用方法などに応じて、ユーザの運動強度がばらついてしまう。従って、上述した背景技術２に係るカロリー計算装置は、受動型運動機器をユーザが利用する場合には、ユーザの運動強度（或いは、消費カロリー）を正確に推定（計算）することができなかった。
【００１０】
そこで、本発明は、上述した課題を解決するためになされたものであり、受動型運動機器をユーザが利用する場合において、ユーザの運動強度（或いは、消費カロリー）を正確に推定（計算）することを可能とするカロリー計算装置及び受動型運動機器を提供することを目的とする。
【課題を解決するための手段】
【００１１】
一の特徴では、受動型運動機器を利用するユーザの消費カロリーを計算するカロリー計算装置は、ユーザの心拍数とユーザの運動強度との関係を前記受動型運動機器の負荷レベル毎に定義する複数の対応関係情報を記憶する記憶部（記憶部１２）と、前記受動型運動機器の負荷レベルを取得する負荷レベル取得部（負荷レベル取得部１１）と、前記受動型運動機器を利用するユーザの心拍数を取得する心拍数取得部（心拍数取得部１４）と、前記複数の対応関係情報の中から、前記負荷レベル取得部によって取得された前記負荷レベルに対応する対応関係情報を特定する特定部（特定部１３）と、前記特定部によって特定された前記対応関係情報を参照して、前記心拍数取得部によって取得された前記心拍数に対応する運動強度を取得する運動強度取得部（運動強度取得部１５）と、前記運動強度取得部によって取得された前記運動強度に応じて、前記受動型運動機器を利用するユーザの消費カロリーを計算する計算部（カロリー計算部１６）とを備える。
【００１２】
かかる特徴によれば、記憶部は、ユーザの心拍数とユーザの運動強度との関係を受動型運動機器の負荷レベル毎に定義する複数の対応関係情報を記憶する。また、運動強度取得部は、負荷レベルに対応する対応関係情報を参照して、心拍数取得部によって取得された心拍数に対応する運動強度を取得する。
【００１３】
従って、負荷レベルと運動強度とが必ずしも連動しない受動型運動機器をユーザが利用する場合においても、ユーザの運動強度（或いは、消費カロリー）を正確に推定（計算）することができる。
【００１４】
上述した特徴において、前記複数の対応関係情報は、第１負荷レベルに対して定義された第１対応関係情報と、前記第１負荷レベルよりも大きい第２負荷レベルに対して定義された第２対応関係情報とを少なくとも含み、前記第１対応関係情報において、ユーザの心拍数の上昇に伴うユーザの運動強度の増加量は、前記第２対応関係情報において、ユーザの心拍数の上昇に伴うユーザの運動強度の増加量よりも小さいことが好ましい。
【００１５】
上述した特徴において、カロリー計算装置は、前記受動型運動機器を利用するユーザの個人情報を取得する個人情報取得部（個人情報取得部１８）をさらに備え、前記記憶部は、前記複数の対応関係情報をユーザの個人情報毎に記憶しており、前記特定部は、前記複数の対応関係情報の中から、前記負荷レベル取得部によって取得された前記負荷レベル及び前記個人情報取得部によって取得された前記個人情報に対応する対応関係情報を特定することが好ましい。
【００１６】
上述した特徴において、前記対応関係情報は、前記受動型運動機器の負荷レベル毎に定められた標準心拍数、標準運動強度及び補正係数であり、前記補正係数は、前記心拍数取得部によって取得された前記心拍数と前記標準心拍数との差分に応じて、前記標準運動強度を補正する係数である。
【００１７】
一の特徴では、ユーザが受動的に利用する受動型運動機器は、ユーザの心拍数とユーザの運動強度との関係を前記受動型運動機器の負荷レベル毎に定義する複数の対応関係情報を記憶する記憶部と、前記受動型運動機器の負荷レベルを取得する負荷レベル取得部（負荷レベル取得部１１）と、前記受動型運動機器を利用するユーザの心拍数を取得する心拍数取得部と、前記複数の対応関係情報の中から、前記負荷レベル取得部によって取得された前記負荷レベルに対応する対応関係情報を特定する特定部と、前記特定部によって特定された前記対応関係情報を参照して、前記心拍数取得部によって取得された前記心拍数に対応する運動強度を取得する運動強度取得部と、前記運動強度取得部によって取得された前記運動強度に応じて、前記受動型運動機器を利用するユーザの消費カロリーを計算する計算部とを備える。
【発明の効果】
【００１８】
本発明によれば、受動型運動機器をユーザが利用する場合において、ユーザの運動強度（或いは、消費カロリー）を正確に推定（計算）することを可能とするカロリー計算装置及び受動型運動機器を提供することができる。
【発明を実施するための最良の形態】
【００１９】
以下において、本発明の実施形態に係るカロリー計算装置について、図面を参照しながら説明する。なお、以下の図面の記載において、同一又は類似の部分には、同一又は類似の符号を付している。
【００２０】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２１】
［第１実施形態］
（カロリー計算装置の構成）
以下において、第１実施形態に係るカロリー計算装置の構成について、図面を参照しながら説明する。図１は、第１実施形態に係るカロリー計算装置１０の構成を示すブロック図である。
【００２２】
ここで、カロリー計算装置１０は、受動型運動機器に取り付けられており、受動型運動機器を利用するユーザの消費カロリーを計算する。受動型運動機器は、ＥＭＳ（Ｅｌｅｃｔｒｉｃａｌ  Ｍｕｓｃｌｅ  Ｓｔｉｍｕｌａｔｉｏｎ）機器や乗馬フィットネス機器などのように、ユーザが受動的に利用する運動機器である。
【００２３】
図１に示すように、カロリー計算装置１０は、負荷レベル取得部１１と、記憶部１２と、特定部１３と、心拍数取得部１４と、運動強度取得部１５と、カロリー計算部１６と、表示部１７とを有する。
【００２４】
負荷レベル取得部１１は、受動型運動機器の負荷レベルを取得する。具体的には、負荷レベル取得部１１は、ユーザが受動型運動機器に設定した負荷レベルを示す情報を受動型運動機器から取得する。
【００２５】
第１実施形態では、説明を簡略化するために、負荷レベルの種類は、“強”、“中”、“弱”の３種類であるケースについて例示する。
【００２６】
記憶部１２は、図２（ａ）〜図２（ｃ）に示すように、ユーザの心拍数とユーザの運動強度との関係を負荷レベル毎に定義する複数の対応関係情報を記憶する。なお、図２（ａ）は、負荷レベルが“弱”である場合に、ユーザの心拍数（測定心拍数）とユーザの運動強度との関係を示すグラフである。図２（ｂ）は、負荷レベルが“中”である場合に、ユーザの心拍数（測定心拍数）とユーザの運動強度との関係を示すグラフである。図２（ｃ）は、負荷レベルが“強”である場合に、ユーザの心拍数（測定心拍数）とユーザの運動強度との関係を示すグラフである。
【００２７】
図２（ａ）〜図２（ｃ）に示すように、ユーザの心拍数の上昇に伴うユーザの運動強度の増加量（ｂ／ａ）は、負荷レベルが低いほど小さい。すなわち、“ｂ１／ａ”（負荷レベル＝“弱”）＜“ｂ２／ａ”（負荷レベル＝“中”）＜“ｂ３／ａ”（負荷レベル＝“強”）の関係が成り立つ。
【００２８】
なお、ユーザの運動強度を示す指標としては、ＭＥＴＳ（Ｍｅｔａｂｏｌｉｃ  Ｅｑｕｉｖａｌｅｎｔｓ）やＲＭＲ（Ｒｅｌａｔｉｖｅ  Ｍｅｔａｂｏｌｉｃ  Ｒａｔｅ）などを用いることが可能である。ＭＥＴＳは、安静時における代謝量を基準とする指標であり、ＲＭＲは、安静時における代謝率を基準とする指標である。
【００２９】
特定部１３は、記憶部１２に記憶された対応関係情報の中から、負荷レベル取得部１１によって取得された負荷レベルに対応する対応関係情報を特定する。続いて、特定部１３は、負荷レベルに対応する対応関係情報を運動強度取得部１５に出力する。
【００３０】
心拍数取得部１４は、受動型運動機器を利用するユーザの心拍数を測定するセンサなどからユーザの心拍数を取得する。以下において、心拍数取得部１４によって取得された心拍数については、必要に応じて測定心拍数と称する。
【００３１】
運動強度取得部１５は、特定部１３によって特定された対応関係情報を参照して、心拍数取得部１４によって取得された心拍数に対応する運動強度を取得する。続いて、運動強度取得部１５は、心拍数に対応する運動強度を表示部１７に出力する。
【００３２】
カロリー計算部１６は、運動強度取得部１５によって取得された運動強度に応じて、受動型運動機器を利用するユーザの消費カロリーを計算する。具体的には、カロリー計算部１６は、以下の式（１）によって消費カロリーを計算する。
消費カロリー（ｋｃａｌ）＝１．０５×運動強度（ＭＥＴＳ）×時間（ｈ）×体重（ｋｇ）・・・式（１）
【００３３】
なお、消費カロリー“１ｋｃａｌ”＝酸素摂取量“２００ｍｌ”であり、１ＭＥＴＳは、２１０ｍｌ／ｋｇ／ｈであるため、式（１）における“１．０５”という係数が導き出されることに留意すべきである。
【００３４】
続いて、運動強度取得部１５は、運動強度に応じて計算された消費カロリーを表示部１７に出力する。
【００３５】
表示部１７は、運動強度取得部１５によって取得された運動強度を表示する。また、表示部１７は、カロリー計算部１６によって計算された消費カロリーを表示する。
【００３６】
（カロリー計算装置の動作）
以下において、第１実施形態に係るカロリー計算装置の動作（カロリー計算方法）について、図面を参照しながら説明する。図３は、第１実施形態に係るカロリー計算装置１０の動作を示すフロー図である。
【００３７】
図３に示すように、ステップＳ１０において、カロリー計算装置１０は、受動型運動機器の負荷レベルを取得する。
【００３８】
ステップＳ２０において、カロリー計算装置１０は、記憶部１２に記憶された対応関係情報の中から、ステップＳ１０で取得された負荷レベルに対応する対応関係情報を特定する。
【００３９】
ステップＳ３０において、カロリー計算装置１０は、受動型運動機器を利用するユーザの心拍数を取得する。
【００４０】
ステップＳ４０において、カロリー計算装置１０は、ステップＳ２０で特定された対応関係情報を参照して、ステップＳ３０で取得された心拍数に対応する運動強度を取得する。
【００４１】
ステップＳ５０において、カロリー計算装置１０は、ステップＳ４０で取得された運動強度に応じて、受動型運動機器を利用するユーザの消費カロリーを計算する。
【００４２】
ステップＳ６０において、カロリー計算装置１０は、ステップＳ４０で取得された運動強度及びステップＳ５０で取得された消費カロリーを表示する。
【００４３】
（作用及び効果）
第１実施形態によれば、記憶部１２は、ユーザの心拍数とユーザの運動強度との関係を定義する複数の対応関係情報を受動型運動機器の負荷レベル毎に記憶する。また、運動強度取得部１５は、負荷レベルに対応する対応関係情報を参照して、心拍数取得部１４によって取得された心拍数に対応する運動強度を取得する。
【００４４】
従って、負荷レベルと運動強度とが必ずしも連動しない受動型運動機器をユーザが利用する場合においても、ユーザの運動強度（或いは、消費カロリー）を正確に推定（計算）することができる。
【００４５】
第１実施形態によれば、負荷レベルが相対的に低い対応関係情報において、ユーザの心拍数の上昇に伴うユーザの運動強度の増加量（ｂ／ａ）は、負荷レベルが相対的に高い対応関係情報において、ユーザの心拍数の上昇に伴うユーザの運動強度の増加量（ｂ／ａ）よりも小さい。すなわち、図２（ａ）〜図２（ｃ）に示す対応関係情報を例に挙げると、“ｂ１／ａ”（負荷レベル＝“弱”）＜“ｂ２／ａ”（負荷レベル＝“中”）＜“ｂ３／ａ”（負荷レベル＝“強”）の関係が成り立つ。
【００４６】
ここで、受動型運動機器の負荷レベルが低い場合には、ユーザの心拍数が比較的低いと想定される。すなわち、第１実施形態では、ユーザの心拍数が比較的低いと想定されるケースにおいて、ユーザの心拍数の上昇に伴うユーザの運動強度の増加量が小さい。従って、ユーザの精神的な要素によって心拍数が変動したとしても、ユーザの運動強度が影響を受けにくいため、ユーザの運動強度（或いは、消費カロリー）を正確に推定（計算）することができる。
【００４７】
［第２実施形態］
以下において、第２実施形態について図面を参照しながら説明する。以下においては、上述した第１実施形態と第２実施形態との相違点について主として説明する。
【００４８】
具体的には、上述した第１実施形態では特に触れていないが、第２実施形態では、カロリー計算装置は、受動型運動機器を利用するユーザの個人情報を取得する。カロリー計算装置は、ユーザの個人情報に応じて、心拍数と運動強度との関係を定義する対応関係情報を特定する。
【００４９】
（カロリー計算装置の構成）
以下において、第２実施形態に係るカロリー計算装置の構成について、図面を参照しながら説明する。図４は、第２実施形態に係るカロリー計算装置１０の構成を示すブロック図である。なお、図４では、上述した図１と同様の構成について同様の符号を付していることに留意すべきである。
【００５０】
図４に示すように、カロリー計算装置１０は、図１に示した構成に加えて、個人情報取得部１８を有する。
【００５１】
個人情報取得部１８は、受動型運動機器を利用するユーザの個人情報を取得する。具体的には、個人情報取得部１８は、ユーザが受動型運動機器に設定した個人情報（性別や体重など）を受動型運動機器から取得する。
【００５２】
なお、個人情報は、メモリなどに記憶されており、２回目以降においては、個人情報の取得を省略してもよい。
【００５３】
また、個人情報は、性別や体重に限定されるものではないことは勿論である。具体的には、個人情報は、年齢、スポーツを行う頻度、喫煙の有無などのように、運動能力に影響を与える情報であってもよい。
【００５４】
上述した記憶部１２は、心拍数と運動強度との関係を定義する対応関係情報を個人情報毎に記憶する。例えば、記憶部１２は、図５に示すように、負荷レベル（“強”、“中”、“弱”）、体重（例えば、“４０ｋｇ未満”、“４０〜５０”など）、性別（“男性”、“女性”）毎に、対応関係情報を記憶している。
【００５５】
ここで、負荷レベル、体重及び性別によって特定される欄には、例えば、上述した図２（ａ）〜図２（ｃ）に示した対応関係情報（又は、対応関係情報のメモリアドレス）が格納されている。
【００５６】
上述した特定部１３は、記憶部１２に記憶された対応関係情報の中から、負荷レベル取得部１１によって取得された負荷レベル及び個人情報取得部１８によって取得された個人情報に対応する対応関係情報を特定する。
【００５７】
（カロリー計算装置の動作）
以下において、第２実施形態に係るカロリー計算装置の動作（カロリー計算方法）について、図面を参照しながら説明する。図６は、第２実施形態に係るカロリー計算装置１０の動作を示すフロー図である。なお、図６では、上述した図３と同様の処理について同様のステップ番号を付していることに留意すべきである。
【００５８】
図６に示すように、カロリー計算方法は、図３に示した処理に加えて、ステップＳ１５を有する。
【００５９】
ステップＳ１５において、カロリー計算装置１０は、受動型運動機器を利用するユーザの個人情報を取得する。
【００６０】
上述したステップＳ２０においては、カロリー計算装置１０は、記憶部１２に記憶された対応関係情報の中から、ステップＳ１０で取得された負荷レベル及びステップＳ１５で取得された個人情報に対応する対応関係情報を特定する。
【００６１】
（作用及び効果）
第２実施形態によれば、記憶部１２は、負荷レベル及び個人情報毎に、対応関係情報を記憶している。また、特定部１３は、記憶部１２に記憶された対応関係情報の中から、負荷レベル取得部１１によって取得された負荷レベル及び個人情報取得部１８によって取得された個人情報に対応する対応関係情報を特定する。
【００６２】
すなわち、カロリー計算装置１０は、ユーザの運動能力の差を考慮して、ユーザの運動強度を取得するとともに、ユーザの消費カロリーを計算する。従って、消費カロリーの計算精度が向上する。
【００６３】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００６４】
例えば、上述したカロリー計算装置１０の動作（カロリー計算方法）は、コンピュータなどによって実行されるプログラムによって実現されてもよい。
【００６５】
上述した実施形態では、受動型運動機器の負荷レベルは、ユーザによって設定されることを前提としているが、これに限定されるものではない。具体的には、受動型運動機器の負荷レベルを検出可能なセンサ（例えば、振動センサ）などから、受動型運動機器の負荷レベルが取得されてもよい。
【００６６】
上述した実施形態では、ユーザの個人情報は、ユーザによって設定されることを前提としているが、これに限定されるものではない。例えば、個人情報が体重である場合には、受動型運動機器に設けられた体重計などから、ユーザの個人情報が取得されてもよい。
【００６７】
上述した実施形態では、対応関係情報は、図２（ａ）〜図２（ｃ）に示したように、ユーザの心拍数とユーザの運動強度との関係を示すグラフであるが、これに限定されるものではない。
【００６８】
例えば、対応関係情報は、図７に示すように、標準運動強度、標準心拍数及び補正係数であってもよい。ここで、標準運動強度、標準心拍数及び補正係数は、受動型運動機器の負荷レベル毎に設定される。標準運動強度、標準心拍数及び補正係数は、ユーザの個人情報毎に設定されてもよい。
【００６９】
具体的には、受動型運動機器を利用するユーザの運動強度は、以下の式（２）によって計算される。
【００７０】
運動強度（ＭＥＴＳ）＝標準運動強度（ＭＥＴＳ）＋{補正係数×（測定心拍数（ｂｐｍ；Ｂｅａｔｓ  Ｐｅｒ  Ｍｉｎｕｔｅｓ）−標準心拍数（ｂｐｍ；Ｂｅａｔｓ  Ｐｅｒ  Ｍｉｎｕｔｅｓ））}・・・式（２）
なお、標準運動強度、標準心拍数及び補正係数は、被験者実験によって定められてもよい。例えば、被験者実験は以下のように行われる。
（１）  体重や性別などの運動能力に応じて、被験者をグループ化する
（２）  グループ化された被験者に様々な負荷レベルで受動型運動機器を利用させる
（３）  （２）において運動強度や心拍数を測定して、標準運動強度、標準心拍数及び補正係数を定める。
【００７１】
上述した実施形態では特に触れていないが、カロリー計算装置１０によって取得された運動強度は、以下に示すように、様々な装置に応用することが可能である。
（１）  受動型運動機器を利用するユーザの運動強度をメータによって表示する運動強度（ＭＥＴＳ）メータ
（２）  受動型運動機器を利用するユーザの運動強度が一定に保たれるように、受動型運動機器の負荷レベルを自動調整する装置
（３）  受動型運動機器を利用するユーザの運動強度が、ユーザが任意に設定可能な上限運動強度を超えた場合に、アラーム音などを出力するセーフティ装置
上述した実施形態では特に触れていないが、カロリー計算装置１０を備えた受動型運動機器が提供されてもよい。具体的には、図８に示すように、受動型運動機器１００は、上述したカロリー計算装置１０に加えて、負荷レベル設定部２０と、負荷付与部３０と、心拍数測定部４０とを有する。
【００７２】
負荷レベル設定部２０は、ユーザによって入力された負荷レベルを取得して、ユーザに付与すべき負荷レベルを設定する。
【００７３】
負荷付与部３０は、負荷レベル設定部２０によって設定された負荷レベルに応じて、ユーザに負荷を付与する。例えば、受動型運動機器１００がＥＭＳである場合には、負荷付与部３０は、負荷レベルに対応する振動をユーザに付与する。また、受動型運動機器１００が乗馬フィットネス機器である場合には、負荷付与部３０は、負荷レベルに対応する動作パターンで、ユーザが跨る鞍を動かす。
【００７４】
心拍数測定部４０は、受動型運動機器１００を利用するユーザの心拍数を測定するセンサなどである。
【００７５】
なお、上述した負荷レベル取得部１１は、負荷レベル設定部２０によって設定されて負荷レベルを取得することに留意すべきである。同様に、上述した心拍数取得部１４は、心拍数測定部４０によって測定された心拍数を取得することに留意すべきである。
【図面の簡単な説明】
【００７６】
【図１】第１実施形態に係るカロリー計算装置１０の構成を示すブロック図である。
【図２】第１実施形態に係る記憶部１２に記憶された情報を示す図である。
【図３】第１実施形態に係るカロリー計算装置１０の動作を示すフロー図である。
【図４】第２実施形態に係るカロリー計算装置１０の構成を示すブロック図である。
【図５】第２実施形態に係る記憶部１２に記憶された情報を示す図である。
【図６】第２実施形態に係るカロリー計算装置１０の動作を示すフロー図である。
【図７】その他の実施形態に係る運動強度の計算方法の一例を説明するための図である。
【図８】その他の実施形態に係る受動型運動機器１００の構成を示すブロック図である。
【符号の説明】
【００７７】
１０・・・カロリー計算装置、１１・・・負荷レベル取得部、１２・・・記憶部、１３・・・特定部、１４・・・心拍数取得部、１５・・・運動強度取得部、１６・・・カロリー計算部、１７・・・表示部、１８・・・個人情報取得部、２０・・・負荷レベル設定部、３０・・・負荷付与部、４０・・・心拍数測定部、１００・・・受動型運動機器
【図１】
0004879113.tif 000002
【図２】
0004879113.tif 000003
【図３】
0004879113.tif 000004
【図４】
0004879113.tif 000005
【図５】
0004879113.tif 000006
【図６】
0004879113.tif 000007
【図７】
0004879113.tif 000008
【図８】
0004879113.tif 000009